(57)【要約】【課題】ビーコン信号に応じて通信端末に通知を行う際に、複数のビーコン信号に対応する集約情報を所定の順番で通信端末に送信する。【解決手段】ビーコン装置は、識別情報により識別されるビーコン信号を送信する。情報集約装置は、ビーコン装置から送信されたビーコン信号を複数受信して、それら複数のビーコン信号の識別情報に対応する優先度に従った順序で、識別情報に対応する所定の情報を、集約情報として通信端末に送信する。通信端末は、情報集約装置からの集約情報を受信する。【選択図】図１
2017098684.tif 000002
【特許請求の範囲】
【請求項１】
識別情報により識別されるビーコン信号を送信するビーコン装置と、
前記ビーコン信号を複数受信して、それら複数のビーコン信号の前記識別情報に対応する優先度に従った順序で前記識別情報に対応する所定の情報を集約情報として送信する情報集約装置と、
前記集約情報を受信する通信端末と
を具備する情報通知システム。
【請求項２】
前記情報集約装置は、日時、自然界のデータ、および、前記受信したビーコン信号に含まれる他の前記識別情報の少なくとも一つに応じて前記優先度を変更する
請求項１記載の情報通知システム。
【請求項３】
前記情報集約装置は、前記通信端末と近距離無線通信が可能であるか否かを判定して、前記近距離無線通信が可能となったことを契機として前記近距離無線通信により前記集約情報を送信する
請求項１または２に記載の情報通知システム。
【請求項４】
前記情報集約装置は、前記優先度に従った順序で前記集約情報を送信する際に、次の順序の前記集約情報を受信するための後続情報を送信する
請求項１から３のいずれかに記載の情報通知システム。
【請求項５】
前記情報集約装置は、あらかじめ指定された日時となったことを契機として前記集約情報を送信する
請求項１から４のいずれかに記載の情報通知システム。
【請求項６】
前記情報集約装置は、前記優先度が所定の条件を満たすものについて前記通知を行う
請求項１から５のいずれかに記載の情報通知システム。
【請求項７】
前記情報集約装置は、前記識別情報と前記識別情報に対応する通知の内容および優先度とを対応付けて記憶するデータベースを備え、前記データベースを参照して前記受信した識別情報に対応する前記優先度および前記通知の内容を取得し、前記優先度に応じた順序で前記通信端末に対して前記通知の内容を前記集約情報として送信する
請求項１から６のいずれかに記載の情報通知システム。
【請求項８】
前記識別情報と前記識別情報に対応する通知の内容および優先度とを対応付けて記憶するサーバをさらに具備し、
前記情報集約装置は、前記受信した識別情報を前記サーバに送信して、前記識別情報に対応する前記優先度および前記通知の内容を取得し、前記優先度に応じた順序で前記通信端末に対して前記通知の内容を前記集約情報として送信する
請求項１から６のいずれかに記載の情報通知システム。
【請求項９】
前記識別情報と前記識別情報に対応する通知の内容および優先度とを対応付けて記憶するサーバをさらに具備し、
前記情報集約装置は、前記受信した識別情報を前記サーバに送信して、前記識別情報に対応する前記優先度を取得し、前記優先度に応じた順序で前記通信端末に対して前記識別情報を前記集約情報として送信し、
前記通信端末は、前記情報集約装置から受信した識別情報を前記サーバに送信して、その識別情報に対応する通知の内容を取得する
請求項１から６のいずれかに記載の情報通知システム。
【請求項１０】
ビーコン装置から送信されるビーコン信号を複数受信して、それら複数のビーコン信号に含まれる識別情報に対応する優先度に応じた順序で前記識別情報に対応する所定の情報を、あらかじめ指定された通信端末に送信する情報集約装置。
【請求項１１】
ビーコン装置から送信されるビーコン信号を情報集約装置が複数受信する手順と、
それら複数のビーコン信号に含まれる識別情報を前記情報集約装置が取得する手順と、
前記識別情報に対応する優先度を前記情報集約装置が取得する手順と、
前記優先度に応じた順序で前記識別情報に対応する所定の情報を、あらかじめ指定された通信端末に送信する手順と
を具備する情報通知方法。
【発明の詳細な説明】
【技術分野】
【０００１】
本発明は、情報通知システムに関し、特に、ビーコン信号に応じて通信端末に通知を行う情報通知システム、情報集約装置、および、これらにおける処理方法ならびに当該方法をコンピュータに実行させるプログラムに関する。
【背景技術】
【０００２】
通信端末の普及に伴い、通信端末と電子機器とを接続して、電子機器からの情報を通信端末に発信するシステムが利用されるようになっている。特に、近接無線通信によるビーコン信号を利用して情報提示を行うシステムが注目されている。例えば、移動可能な装置が他の設置された装置に近づいたことをビーコン信号により検出すると、両者間の通信を開始して、情報の通知を行うデータ通信システムが提案されている（例えば、特許文献１参照。）。
【先行技術文献】
【特許文献】
【０００３】
【特許文献１】特開２０００−１３４１４７号公報
【発明の概要】
【発明が解決しようとする課題】
【０００４】
上述の従来技術では、一方の設置された装置に近づくことにより他方の装置に情報が通知される。しかしながら、設置された装置が一定範囲内に複数存在する場合などには、複数の通知を一斉に受けることになり、利便性を損なうおそれがある。例えば、帰宅時に「お帰りなさい」などのメッセージを通知するビーコン装置と、照明機器に付属するリモコン操作のための操作画面を通知するビーコン装置と、洗濯機に関する動作状況を通知するビーコン装置などが宅内に設置されている場合を想定する。この場合、ビーコン信号を受信する通信端末を所持するユーザが帰宅した場合、複数のビーコン信号をほぼ同時に受信し、受信した順番に通知が表示される。このとき、通信端末が複数ある通知をどの順番で受信して表示するかを、ユーザは予め把握することができない。例えば、ユーザが帰宅した際に、留守中の洗濯機の動作状況が知らされ、その後に照明機器の操作画面が表示され、最後に「お帰りなさい」のメッセージが来る、というような事態も考えられる。これでは、ユーザの意向や利便性を考慮しているとは言えず、不親切で不便を強いる可能性もある。
【０００５】
本発明はこのような状況に鑑みて生み出されたものであり、ビーコン信号に応じて通信端末に通知を行う際に、複数のビーコン信号に対応する通知を所定の順番で通信端末に送信することを目的とする。
【課題を解決するための手段】
【０００６】
本発明は、上述の問題点を解消するためになされたものであり、その第１の側面は、識別情報により識別されるビーコン信号を送信するビーコン装置と、上記ビーコン信号を複数受信して、それら複数のビーコン信号の上記識別情報に対応する優先度に従った順序で上記識別情報に対応する所定の情報を集約情報として送信する情報集約装置と、上記集約情報を受信する通信端末とを具備する情報通知システムである。これにより、複数のビーコン信号を集約して、優先度に従った順序で集約情報を通信端末に受信させるという作用をもたらす。
【０００７】
また、本発明の第２の側面は、ビーコン装置から送信されるビーコン信号を複数受信して、それら複数のビーコン信号に含まれる識別情報に対応する優先度に応じた順序で上記識別情報に対応する所定の情報を、あらかじめ指定された通信端末に送信する情報集約装置およびその情報通知方法である。これにより、複数のビーコン信号を集約して、優先度に従った順序で集約情報を通信端末に送信するという作用をもたらす。
【発明の効果】
【０００８】
本発明によれば、ビーコン信号に応じて通信端末に通知を行う際に、複数のビーコン信号に対応する通知を所定の順番で通信端末に送信することができるという優れた効果を奏し得る。
【図面の簡単な説明】
【０００９】
【図１】本発明の実施の形態における情報通知システムの一例の概要を示す図である。
【図２】本発明の第１の実施の形態における情報通知システムの一構成例を示す図である。
【図３】本発明の第１の実施の形態における通知情報データベース２３０の一構成例を示す図である。
【図４】本発明の第１の実施の形態における情報通知システムの動作例を示すシーケンス図である。
【図５】本発明の第１の実施の形態における情報集約装置２００の処理手順例を示す流れ図である。
【図６】本発明の第１の実施の形態における通信端末３００の待受けリスト３２１の動作態様例を示す図である。
【図７】本発明の第１の実施の形態における情報集約装置２００の他の処理手順例を示す流れ図である。
【図８】本発明の第１の実施の形態における通信端末３００の第１の表示例を示す図である。
【図９】本発明の第１の実施の形態における通信端末３００の第２の表示例を示す図である。
【図１０】本発明の第１の実施の形態における通信端末３００の第３の表示例を示す図である。
【図１１】本発明の第２の実施の形態における情報通知システムの一構成例を示す図である。
【図１２】本発明の第２の実施の形態における通知情報データベース２３０の一構成例を示す図である。
【図１３】本発明の第２の実施の形態における識別情報データベース２４０の一構成例を示す図である。
【図１４】本発明の第２の実施の形態における情報通知システムの動作例を示すシーケンス図である。
【図１５】本発明の第３の実施の形態における情報通知システムの一構成例を示す図である。
【図１６】本発明の第３の実施の形態における情報通知システムの動作例を示すシーケンス図である。
【図１７】本発明の第３の実施の形態における情報集約装置２００の処理手順例を示す流れ図である。
【図１８】本発明の第３の実施の形態における情報集約装置２００の他の処理手順例を示す流れ図である。
【発明を実施するための形態】
【００１０】
以下、本発明を実施するための形態について説明する。
【００１１】
＜１．概要＞
図１は、本発明の実施の形態における情報通知システムの一例の概要を示す図である。この情報通知システムでは、宅内１０にビーコン装置１０１、１０２および１０３が設置される。ビーコン装置１０１乃至１０３は、所定の期間毎に、間欠的にビーコン信号を無線送信するものである。
【００１２】
ビーコン信号には、そのビーコン信号を識別するための識別情報が含まれる。すなわち、ビーコン装置１０１は識別情報Ａ００１を含むビーコン信号を送信し、ビーコン装置１０２は識別情報Ｂ００１を含むビーコン信号を送信し、ビーコン装置１０３は識別情報Ｃ００１を含むビーコン信号を送信する。なお、この例では、ビーコン装置１０１乃至１０３から送信されるそれぞれのビーコン信号が同じ識別情報を含むことを想定しているが、１つのビーコン装置から送信されるビーコン信号が互いに異なる識別情報を含むようにしてもよい。例えば、ビーコン装置１０２が、識別情報Ｂ００１を含むビーコン信号と、識別情報Ｂ００２を含むビーコン信号とを交互に送信してもよい。すなわち、１つまたは複数のビーコン装置を想定し、その１つまたは複数のビーコン装置の全体として複数のビーコン信号が送信される態様であればよく、それら複数のビーコン信号が１つのビーコン装置から送信される場合や、複数のビーコン装置から１つずつビーコン信号が送信される場合の何れであってもよい。
【００１３】
ビーコン装置１０１乃至１０３は、所定の機器の近傍に設置されてもよく、また、所定の機器とは独立して宅内１０に設置されてもよい。また、所定の機器に内蔵されてもよい。この例では、ビーコン装置１０１は単独で設置され、帰宅時に「お帰りなさい」などのメッセージを通知するためのビーコン信号を送信する。また、ビーコン装置１０２は、電気機器の一例としての照明装置２２の近傍に設置され、照明装置２２の操作画面の表示を通知するためのビーコン信号を送信する。また、ビーコン装置１０３は、電気機器の一例としての洗濯機２３の近傍に設置され、洗濯機２３の動作状況を通知するためのビーコン信号を送信する。
【００１４】
また、この情報通知システムでは、宅内１０に情報集約装置２００が設置される。この情報集約装置２００は、ビーコン装置１０１乃至１０３から送信された複数のビーコン信号を受信して、それら複数のビーコン信号を集約した上で通信端末３００に所定の情報（以下、集約情報と称する。）を提供するものである。その際、情報集約装置２００は、ビーコン装置１０１乃至１０３から受信したビーコン信号に順位を設定し、その順位に従って通信端末３００に集約情報を提供する。この集約情報としては、通信端末３００において表示される通知の内容そのものでもよく、また、その通知の内容を取得するための識別情報などでもよい。この詳細については各実施の形態の説明において詳説する。
【００１５】
通信端末３００は、ユーザが携帯する端末である。この通信端末３００としては、例えば、携帯端末やタブレット型パーソナルコンピュータなどが挙げられる。この通信端末３００は、ビーコン装置１０１乃至１０３から送信されたビーコン信号を受信するのではなく、情報集約装置２００から提供される集約情報を受信する。そして、通信端末３００は、情報集約装置２００から提供された集約情報に従って通知の内容を表示する。
【００１６】
＜２．第１の実施の形態＞
［情報通知システムの構成］
図２は、本発明の第１の実施の形態における情報通知システムの一構成例を示す図である。この第１の実施の形態における情報通知システムでは、情報集約装置２００がビーコン信号を集約して、その集約情報として通知の内容そのものを通信端末３００に送信する。
【００１７】
ビーコン装置１０１乃至１０３は、それぞれ記憶部１１１乃至１１３を備える。記憶部１１１乃至１１３は、ビーコン装置１０１乃至１０３から送信されるビーコン信号に含まれる識別情報を記憶する。
【００１８】
ビーコン装置１０１乃至１０３によるビーコン信号の送信は、近距離無線通信により行われる。このような近距離無線通信の規格として、例えば、超低消費電力に最適化された「Ｂｌｕｅｔｏｏｔｈ（登録商標）  Ｌｏｗ  Ｅｎｅｒｇｙ」（以下、「ＢＬＥ」と略す。）が想定される。なお、Ｗｉ−Ｆｉ（登録商標）規格など、別の通信規格によりビーコン信号を無線送信してもよい。
【００１９】
情報集約装置２００は、処理部２１０と、記憶部２２０と、近距離無線通信部２５０とを備える。これらはバス２９０によって相互に接続される。処理部２１０は、情報集約装置２００において必要な処理を行うプロセッサである。記憶部２２０は、処理部２１０の処理に必要なデータを記憶するメモリである。また、この記憶部２２０は、通知情報データベース２３０を記憶する。
【００２０】
通知情報データベース２３０は、通信端末３００に通知する内容を識別情報に対応付けて記憶するデータベースである。情報集約装置２００は、ビーコン装置１０１乃至１０３から送信されるビーコン信号を受信して、そのビーコン信号に含まれる識別情報に基づいて通知情報データベース２３０を参照し、通信端末３００に通知する内容を取得する。
【００２１】
近距離無線通信部２５０は、ビーコン装置１０１乃至１０３および通信端末３００との間で近距離通信を行うものである。
【００２２】
通信端末３００は、処理部３１０と、記憶部３２０と、入力部３３０と、出力部３４０と、近距離無線通信部３５０と、通信部３６０とを備える。処理部３１０は、通信端末３００において必要な処理を行うプロセッサである。記憶部３２０は、処理部３１０の処理に必要なデータを記憶するメモリである。
【００２３】
入力部３３０は、ユーザからの入力を受け付けるためのものである。この入力部３３０としては、例えば、タッチパネルの触覚センサが想定されるが、外部接続されたキーボードなどを使用してもよい。出力部３４０は、ユーザに対して通知の内容を表示出力するためのものである。この出力部３４０としては、例えば、タッチパネルの表示部が想定される。したがって、入力部３３０および出力部３４０は、一体化されたタッチパネルとして実現することができる。
【００２４】
近距離無線通信部３５０は、情報集約装置２００との間で近距離通信を行うものである。通信端末３００は、この近距離無線通信部３５０による近距離通信によって、情報集約装置２００から通知の内容を受信する。
【００２５】
通信部３６０は、図示しないネットワークを介した無線通信を行うものである。この通信部３６０による無線通信としては、例えば、移動体通信（例えば、３Ｇ）や、Ｗｉ−Ｆｉ（登録商標）規格などによる無線ＬＡＮなどを利用した無線通信が想定される。
【００２６】
図３は、本発明の第１の実施の形態における通知情報データベース２３０の一構成例を示す図である。この通知情報データベース２３０は、識別情報に対応付けて、通知内容と、優先度情報と、通知フラグとを記憶する。
【００２７】
通知内容は、通信端末３００に通知する内容である。この例では、留守番用ビーコンであるビーコン装置１０１から送信されたビーコン信号の識別情報がＡ００１の場合、帰宅時のメッセージが通知内容である。また、照明装置２２に設置されるビーコン装置１０２から送信されたビーコン信号の識別情報がＢ００１の場合、照明装置２２の操作受付け画面が通知内容である。また、空気清浄機に設置されるビーコン装置から送信されたビーコン信号の識別情報がＢ００２の場合、空気清浄機の操作受付け画面が通知内容である。また、洗濯機２３に設置されるビーコン装置１０３から送信されたビーコン信号の識別情報がＣ００１の場合、洗濯機２３からの動作状況の通知メッセージが通知内容である。
【００２８】
優先度情報は、識別情報の優先度を示す情報である。この例では、識別情報がＡ００１の場合には優先度が「１」、識別情報がＢ００１の場合には優先度が「２」、識別情報がＢ００２の場合には優先度が「３」、識別情報がＣ００１の場合には優先度が「４」となっており、その値が小さいほど優先度が高いことを示している。したがって、これらの識別情報を含むビーコン信号が情報集約装置２００に受信された場合、識別情報がＡ００１、Ｂ００１、Ｂ００２、Ｃ００１の順に、通信端末３００において対応する通知内容が表示される。なお、この例では、優先度情報を数字により順番に記載しているが、その他の形式であってもよい。
【００２９】
通知フラグは、通信端末３００に対して通知内容を送信するべきか否かを示すフラグである。通知フラグが「ＯＮ」を示していれば通知内容が送信され、通知フラグが「ＯＦＦ」を示していれば通知内容は送信されない。情報集約装置２００は、識別情報を含むビーコン信号を受信すると、その識別情報に対応する通知内容および優先度情報を取得して、その通知フラグを「ＯＮ」に設定する。その後、情報集約装置２００は、ユーザが帰宅した際に通信端末３００と通信を行い、通知フラグが「ＯＮ」を示している通知内容を、優先度情報に従って優先度の高いものから順番に送信する。
【００３０】
また、情報集約装置２００は、優先度が所定の条件を満たすもののみを送信するようにしてもよい。例えば、優先度が所定の閾値より低いものについては送信しないようにしてもよい。
【００３１】
また、情報集約装置２００は、通知情報データベース２３０に記憶される優先度を適宜書き換えるようにしてもよい。例えば、情報集約装置２００に時計やセンサなどが設けられている場合、これらから得られる日時や自然界のデータなどの情報に応じて優先度を変更してもよい。すなわち、気温が低い場合や冬場には暖房器具の操作受付け画面の優先度を上げることや、夜の時間には周囲が暗いため照明機器からの操作受付け画面の優先度を上げることなどが考えられる。また、情報集約装置２００は、情報を通知する対象のユーザ、言い換えれば対象のユーザが所持する通信端末３００に応じて優先度を書き換えてもよい。
【００３２】
また、情報集約装置２００は、ある機器から受信した識別情報に応じて、他の機器に関する識別情報の優先度を変更してもよい。例えば、ある機器Ａから「動作中である」との通知を受け取った場合、機器Ａの動作中には、他の機器Ｂからの通知を送信しないよう、優先度を下げることが考えられる。具体的には、情報集約装置２００が、ホームシアタ機器から運転中の情報を受信している間は、洗濯機の状態通知などの、比較的緊急度が低く、ユーザの行動を阻害する可能性のあるものを通知しないように優先度を下げることが考えられる。
【００３３】
また、通知先の通信端末３００との間で双方向通信が可能である場合、この通信の状態や通信端末３００から得られる情報に応じて、特定の識別情報に関する優先度を変更するようにしてもよい。例えば、通信端末３００の位置はユーザの位置と考えられるため、その位置に応じて特定の通知の優先度を変更するようにしてもよい。情報集約装置２００は、通信端末３００との間の無線通信の受信強度を測定することによって、通信端末３００の位置を推測し、または、通信端末３００からＧＰＳなどによる位置情報を取得することができる。また、通信端末３００は、何らかの機器との間で行うビーコン信号の送受信などの無線通信の受信強度を測定してもよい。これにより、通信端末３００は、受信強度の減衰度合いから、この機器との間の距離を推定することができる。つまり、通信端末３００は、通信の内容と、この受信強度とに基づいて、どの機器に対して、どの程度の距離にあるのか、という形で位置情報を取得することもできる。
【００３４】
具体的シナリオとして、ユーザの帰宅時に、ユーザがまだ玄関にいる間はメッセージの通知や、照明装置２２のリモコンの通知のみを行い、洗濯機２３の状態通知などは行わないよう優先度を下げる。これは、帰宅直後には、最小限の通知または操作で足りると考えられるからである。その後、ユーザがリビングルームに入ったこと、リビングルームにある何らかの機器に近づいたこと、または、情報集約装置２００に近づいたことを、上述の方法によって検知すると、これを契機として洗濯機２３の状態通知の優先度を上げて、通知を行う状態にすることが考えられる。また、ユーザがシアタールームにいる場合には、ホームシアタを鑑賞していると推測されるため、その鑑賞を邪魔しないよう、洗濯機２３の状態通知などを行わないように優先度を下げることが考えられる。
【００３５】
上述の例は、通信端末３００の位置情報を使った例であり、ユーザは積極的に何かをする必要はないが、ユーザの意思を明示するようにしてもよい。例えば、ユーザが通信端末３００を介して、ホームシアタ鑑賞中である旨や、特定の通知を受け付けない旨を、積極的に指示することにより、それに応じて優先度を変化させるようにしてもよい。
【００３６】
［情報通知システムの動作］
図４は、本発明の第１の実施の形態における情報通知システムの動作例を示すシーケンス図である。
【００３７】
ビーコン装置１０１は、近距離無線通信によって間欠的にビーコン信号を送信する（ステップＳ８１１）。このビーコン装置１０１から送信されるビーコン信号には識別情報Ａ００１が含まれる。また、ビーコン装置１０２は、近距離無線通信によって間欠的にビーコン信号を送信する（ステップＳ８１５）。このビーコン装置１０２から送信されるビーコン信号には識別情報Ｂ００１が含まれる。以下では、情報集約装置２００がビーコン装置１０１からのビーコン信号を受信した後に、ビーコン装置１０２からのビーコン信号を受信した場合の例を示すが、これらの受信順序は何れが先でも構わない。
【００３８】
情報集約装置２００は、ビーコン装置１０１から送信されたビーコン信号を受信すると、そのビーコン信号に含まれる識別情報Ａ００１を抽出する。そして、情報集約装置２００は、通知情報データベース２３０を参照して、識別情報Ａ００１に対応する優先度情報を取得する（ステップＳ８１２）。また、情報集約装置２００は、通知情報データベース２３０において識別情報Ａ００１に対応する通知フラグを「ＯＮ」に設定する（ステップＳ８１４）。
【００３９】
また、情報集約装置２００は、ビーコン装置１０２から送信されたビーコン信号を受信すると、そのビーコン信号に含まれる識別情報Ｂ００１を抽出する。そして、情報集約装置２００は、通知情報データベース２３０を参照して、識別情報Ｂ００１に対応する優先度情報を取得する（ステップＳ８１６）。また、情報集約装置２００は、通知情報データベース２３０において識別情報Ｂ００１に対応する通知フラグを「ＯＮ」に設定する（ステップＳ８１８）。
【００４０】
その後、ユーザが帰宅したなどの送信トリガが発生すると、情報集約装置２００は、通知情報データベース２３０を参照して、通知フラグが「ＯＮ」に設定されている識別情報に対応する通知内容を、その優先度の高い順に順次、近距離無線通信により送信する（ステップＳ８１９）。
【００４１】
通信端末３００は、情報集約装置２００から通知内容を受信すると（ステップＳ８２１）、その受信した通知内容を出力部３４０に表示する（ステップＳ８２２）。
【００４２】
図５は、本発明の第１の実施の形態における情報集約装置２００の処理手順例を示す流れ図である。この例では、情報集約装置２００と通信端末３００とが双方向通信可能であり、通信端末３００が受信確認を送ることを前提としている。例えば、通信端末３００が通知内容を表示した後に、ユーザがなにかレスポンス（クリックなど）をしたことをトリガとして、情報集約装置２００に受信確認を送ることが考えられる。
【００４３】
情報集約装置２００は、アイドル状態において、送信トリガが発生した否かのチェックを行う（ステップＳ９１１）。送信トリガとは、情報集約装置２００が通信端末３００に集約情報の送信を開始するための条件である。この送信トリガとしては、例えば、ユーザが帰宅したことや、所定の時刻になったことなどが考えられる。情報集約装置２００において通信端末３００との間で近距離無線通信が可能となった場合に、ユーザが帰宅したものと判定することができる。また、情報集約装置２００において何れかのビーコン信号を受信することにより、通知情報データベース２３０において通知フラグが「ＯＮ」に設定された場合に、送信トリガが発生したものと判定してもよい。
【００４４】
送信トリガが発生すると（ステップＳ９１１：Ｙｅｓ）、情報集約装置２００は、通知情報データベース２３０において次に優先度が高い識別情報を参照する（ステップＳ９１２）。そして、その識別情報に対応する通知フラグが「ＯＮ」に設定されていれば（ステップＳ９１３：Ｙｅｓ）、情報集約装置２００は、その識別情報に対応する通知内容を通信端末３００に送信する（ステップＳ９１４）。この送信に対する受信確認を通信端末３００から受信しない場合には（ステップＳ９１５：Ｎｏ）、情報集約装置２００は、通知内容の送信に失敗したものと判断して、その通知内容を通信端末３００に再度送信する（ステップＳ９１４）。通信端末３００から受信確認を受信すると（ステップＳ９１５：Ｙｅｓ）、情報集約装置２００は、その識別情報に対応する通知フラグを「ＯＦＦ」に設定し（ステップＳ９１６）、その通知内容の送信は完了する。
【００４５】
ステップＳ９１３において通知フラグが「ＯＮ」に設定されていなければ（ステップＳ９１３：Ｎｏ）、情報集約装置２００はステップＳ９１２に戻って次に優先度が高い識別情報を参照して以降の処理を繰り返す。
【００４６】
ある通知内容の送信が完了した後に（ステップＳ９１５：Ｙｅｓ）、他にまだ参照されていない識別情報が存在する場合には（ステップＳ９１７：Ｙｅｓ）、情報集約装置２００はステップＳ９１２に戻って次に優先度が高い識別情報を参照して以降の処理を繰り返す。一方、他に参照されていない識別情報が存在しない場合には（ステップＳ９１７：Ｎｏ）、処理を終了する。
【００４７】
図６は、本発明の第１の実施の形態における通信端末３００の待受けリスト３２１の動作態様例を示す図である。
【００４８】
上述の処理手順例では、通信端末３００が受信確認を送ることを前提としていた。これに対し、通信端末３００が情報集約装置２００に受信確認を行わないことを前提としてもよい。この場合、通信端末３００がある識別情報を受信したか否かが不明であり、情報集約装置２００はどのタイミングで次の優先度の識別情報を送信してよいかを判断することができない。そこで、情報集約装置２００は、優先度順に識別情報を所定時間（例えば１秒）毎にサイクリックに送信する。このとき、通信端末３００は、通常は１つの識別情報のみを受信可能とし、受信対象となる１つの識別情報を記憶部３２０の待受けリスト３２１に保持するものとする。すなわち、通信端末３００は、待受けリスト３２１に保持された識別情報と、情報集約装置２００から送信された識別情報６１１とが合致した場合のみ、情報集約装置２００からの識別情報６１１を受信する。
【００４９】
この例では、情報集約装置２００は、通知フラグが「ＯＮ」である３つの識別情報６１１として、「Ａ００１」、「Ｂ００１」、「Ｃ００１」を送信することを考える。このとき、情報集約装置２００は、これらの識別情報６１１を送信する際の起点として自身が送信するビーコン信号を識別するための識別情報６１１「Ｓ００１」を保持する。情報集約装置２００は、識別情報６１１「Ａ００１」、「Ｂ００１」、「Ｃ００１」を送信するにあたり、「Ｓ００１」、「Ａ００１」、「Ｂ００１」、「Ｃ００１」の順で繰り返しビーコン信号を送信する。そして、情報集約装置２００は、その識別情報６１１とともに、次に優先度が高い識別情報を受信するための後続情報６１２を送信する。具体的には、次に受信すべき識別情報を後続情報６１２として送信する。まず、通信端末３００は、待受けリスト３２１に識別情報「Ｓ００１」を保持しているものとする。そして、通信端末３００は、識別情報６１１「Ｓ００１」の受信に成功すると、それに付随する後続情報６１２として送信された識別情報「Ａ００１」を待受けリスト３２１に追加するとともに、受信した識別情報「Ｓ００１」を待受けリストから一時的に削除する。これにより、通信端末３００は、新たに保持された識別情報のみを受信することになる。このようにして、通信端末３００は、送信されてくる識別情報とその順番を把握していない状態でも、優先度により示される「Ａ００１」、「Ｂ００１」、「Ｃ００１」の順に識別情報を受信することができる。また、情報集約装置２００から一連の識別情報を受信した後、例えば、最後に識別情報を受信してから受信なしの状態が所定時間経過した後に、通信端末３００は、待受けリスト３２１に保持する識別情報６１１を「Ｓ００１」に再設定することで、次回の情報集約装置２００から送信される識別情報を再度受信可能となる。
【００５０】
なお、この場合には、通信端末３００からの受信確認ができないため、情報集約装置２００は、基本的には延々と優先度順に識別情報を送信し続けることになる。そこで、受信確認とは別の停止トリガを検出することにより、送信を停止するようにしてもよい。この停止トリガとしては、例えば、送信開始から所定の時間経過や、情報集約装置２００に設けられた停止ボタンの押下などを契機とすることができる。
【００５１】
図７は、本発明の第１の実施の形態における情報集約装置２００の他の処理手順例を示す流れ図である。この例では、通信端末３００が情報集約装置２００に受信確認を行わないことを前提としている。
【００５２】
情報集約装置２００は、アイドル状態において、送信トリガが発生したか否かのチェックを行う（ステップＳ９２１）。送信トリガが発生すると（ステップＳ９２１：Ｙｅｓ）、情報集約装置２００は、通知情報データベース２３０において次に優先度が高い識別情報を参照する（ステップＳ９２２）。そして、その識別情報に対応する通知フラグが「ＯＮ」に設定されていれば（ステップＳ９２３：Ｙｅｓ）、情報集約装置２００は、その識別情報に対応する通知内容を通信端末３００に送信して（ステップＳ９２４）、その識別情報に対応する通知フラグを「ＯＦＦ」に設定する（ステップＳ９２６）。これにより、その通知内容の送信は完了し、情報集約装置２００はステップＳ９２２に戻って次に優先度が高い識別情報を参照して以降の処理を繰り返す。
【００５３】
ステップＳ９２３において通知フラグが「ＯＮ」に設定されていなければ（ステップＳ９２３：Ｎｏ）、情報集約装置２００はステップＳ９２２に戻って次に優先度が高い識別情報を参照して以降の処理を繰り返す。
【００５４】
［通知内容の表示］
図８は、本発明の第１の実施の形態における通信端末３００の第１の表示例を示す図である。この例は、留守番用ビーコンであるビーコン装置１０１から送信されたビーコン信号を受信した際の通知内容の表示例である。この表示は、ユーザが帰宅した際に最初に表示するのに適している。この例では、マスコットキャラクタが表示されるとともに、「お帰りなさい」のメッセージが表示される。
【００５５】
図９は、本発明の第１の実施の形態における通信端末３００の第２の表示例を示す図である。この例は、照明装置２２に設置されるビーコン装置１０２から送信されたビーコン信号を受信した際の通知内容の表示例である。この表示は、特に夜間において、「お帰りなさい」のメッセージの次に表示することが望ましい。この例では、照明装置２２の現在の状態として、「部屋の照明消灯中」である旨が表示されるとともに、照明装置２２の照明を点灯させるためのリモコン操作を受け付けるボタンが表示される。
【００５６】
図１０は、本発明の第１の実施の形態における通信端末３００の第３の表示例を示す図である。この例は、洗濯機２３に設置されるビーコン装置１０３から送信されたビーコン信号を受信した際の通知内容の表示例である。この例では、留守中において宅内で起きた事柄として、洗濯機２３における処理状況を知らせるメッセージが表示される。
【００５７】
なお、ここでは、通信端末３００に通知内容を示す画面を表示する例について説明したが、その他の例として、音声出力などを行うようにしてもよい。
【００５８】
このように、本発明の第１の実施の形態によれば、ビーコン装置１０１乃至１０３から送信されたビーコン信号を情報集約装置２００が集約することにより、優先度に従って順番に通信端末３００に通知内容が送信される。
【００５９】
＜３．第２の実施の形態＞
［情報通知システムの構成］
図１１は、本発明の第２の実施の形態における情報通知システムの一構成例を示す図である。この第２の実施の形態における情報通知システムでは、識別情報に対応する通知内容を情報集約装置２００の外部の解析サーバ５００に記憶しておいて、必要に応じてこの解析サーバ５００から通知内容を取得することを想定する。第２の実施の形態における情報通知システムの基本的な構成は第１の実施の形態と同様であるが、以下の点において第１の実施の形態と異なる。
【００６０】
この第２の実施の形態における情報集約装置２００は、第１の実施の形態における通知情報データベース２３０に代えて、記憶部２２０に識別情報データベース２４０を記憶する。この識別情報データベース２４０は、識別情報に対応して、通知フラグを記憶するものである。
【００６１】
また、この第２の実施の形態における情報集約装置２００は、ネットワーク通信部２６０をさらに備える。このネットワーク通信部２６０は、ネットワーク４００と接続して通信を行うものである。このネットワーク通信部２６０による通信は、有線通信または無線通信の何れであってもよく、また、アクセスポイントやモデムを経由してネットワーク４００に接続してもよい。情報集約装置２００は、このネットワーク通信部２６０によって識別情報を送信し、対応する通知内容およびその優先度情報を取得する。
【００６２】
解析サーバ５００は、通知情報データベース５３０を備える。この通知情報データベース５３０は、識別情報に対応して通知内容および優先度情報を記憶する。情報集約装置２００から識別情報を含む問合せを受けると、解析サーバ５００は通知情報データベース５３０を参照して、その識別情報に対応する通知内容および優先度情報を情報集約装置２００に返送する。
【００６３】
図１２は、本発明の第２の実施の形態における通知情報データベース２３０の一構成例を示す図である。この通知情報データベース５３０は、識別情報に対応付けて、通知内容と、優先度情報とを記憶する。通知内容および優先度情報は、第１の実施の形態における通知情報データベース２３０のものと同様である。
【００６４】
図１３は、本発明の第２の実施の形態における識別情報データベース２４０の一構成例を示す図である。この識別情報データベース２４０は、識別情報に対応付けて、通知フラグを記憶する。通知フラグは、第１の実施の形態における通知情報データベース２３０のものと同様である。情報集約装置２００は、解析サーバ５００から取得した通知内容および優先度情報をこの識別情報データベース２４０に記憶してもよい。
【００６５】
情報集約装置２００は、ビーコン装置１０１乃至１０３から識別情報を含むビーコン信号を受信すると、その識別情報について解析サーバ５００に問い合わせて通知内容および優先度情報を取得する。このとき、情報集約装置２００は、識別情報データベース２４０においてその識別情報に対応する通知フラグを「ＯＮ」に設定する。その後、情報集約装置２００は、ユーザの帰宅時などに通信端末３００と通信を行い、取得した優先度情報に従って、通知フラグが「ＯＮ」に設定されている通知を順番に送信する。
【００６６】
［情報通知システムの動作］
図１４は、本発明の第２の実施の形態における情報通知システムの動作例を示すシーケンス図である。
【００６７】
ビーコン装置１０１は、近距離無線通信によって間欠的にビーコン信号を送信する（ステップＳ８３１）。このビーコン装置１０１から送信されるビーコン信号には識別情報Ａ００１が含まれる。また、ビーコン装置１０２は、近距離無線通信によって間欠的にビーコン信号を送信する（ステップＳ８３５）。このビーコン装置１０２から送信されるビーコン信号には識別情報Ｂ００１が含まれる。この第２の実施の形態においても、上述の第１の実施の形態と同様に、情報集約装置２００におけるビーコン信号の受信順序は何れが先でも構わない。
【００６８】
情報集約装置２００は、ビーコン装置１０１から送信されたビーコン信号を受信すると、そのビーコン信号に含まれる識別情報Ａ００１を抽出して識別情報データベース２４０に記憶するとともに、ネットワーク４００を介して解析サーバ５００に送信する（ステップＳ８３２）。
【００６９】
解析サーバ５００は、識別情報データベース２４０を参照して、情報集約装置２００から受信した識別情報Ａ００１に対応する通知内容および優先度情報を取得して、情報集約装置２００に送信する（ステップＳ８３３）。
【００７０】
情報集約装置２００は、解析サーバ５００から送信された通知内容および優先度情報を受信して記憶部２２０に記憶するとともに、識別情報データベース２４０において識別情報Ａ００１に対応する通知フラグを「ＯＮ」に設定する（ステップＳ８３４）。
【００７１】
また、情報集約装置２００は、ビーコン装置１０２から送信されたビーコン信号を受信すると、そのビーコン信号に含まれる識別情報Ｂ００１を抽出して識別情報データベース２４０に記憶するとともに、ネットワーク４００を介して解析サーバ５００に送信する（ステップＳ８３６）。
【００７２】
解析サーバ５００は、識別情報データベース２４０を参照して、情報集約装置２００から受信した識別情報Ｂ００１に対応する通知内容および優先度情報を取得して、情報集約装置２００に送信する（ステップＳ８３７）。
【００７３】
情報集約装置２００は、解析サーバ５００から送信された通知内容および優先度情報を受信して記憶部２２０に記憶するとともに、識別情報データベース２４０において識別情報Ｂ００１に対応する通知フラグを「ＯＮ」に設定する（ステップＳ８３８）。
【００７４】
その後、ユーザが帰宅したなどの送信トリガが発生すると、情報集約装置２００は、識別情報データベース２４０を参照して、通知フラグが「ＯＮ」に設定されている識別情報に対応する通知内容を、その優先度の高い順に順次、近距離無線通信により送信する（ステップＳ８３９）。
【００７５】
通信端末３００は、情報集約装置２００から通知内容を受信すると（ステップＳ８４１）、その受信した通知内容を出力部３４０に表示する（ステップＳ８４２）。
【００７６】
このように、本発明の第２の実施の形態によれば、識別情報に対応する通知内容および優先度情報を解析サーバ５００の通知情報データベース５３０に記憶しておいて、情報集約装置２００がビーコン装置１０１乃至１０３から送信されたビーコン信号を受信した際に問合せを行うことにより、優先度に従って順番に通信端末３００に通知内容が送信される。
【００７７】
また、本発明の第２の実施の形態の変形例として、情報集約装置２００が受信した識別情報の通知フラグを管理するための識別情報データベース２４０をネットワーク４００上の解析サーバ５００上に記憶するようにしてもよい。このように構成した場合、情報集約装置２００は、ビーコン装置１０１乃至１０３のいずれかからビーコン信号を受信するたびに、そのビーコン信号から取得した識別情報を解析サーバ５００に送信し、解析サーバ５００は、識別情報データベース２４０において通知フラグを「ＯＮ」に設定する。その後、送信トリガが発生すると、情報集約装置２００は、解析サーバ５００に問合せを行うか、または、解析サーバ５００から送信されたデータを受信することにより、送信すべき通知内容と優先度情報とを取得し、通知内容の送信を行う。このように、本発明の第２の実施の形態の変形例によれば、情報集約装置２００の代わりに解析サーバ５００が通知フラグの管理を行うようにすることで、情報集約装置２００の構成をより簡単なものとすることを可能としたうえで、本発明の第２の実施の形態と同様の効果が得られる。
【００７８】
＜４．第３の実施の形態＞
［情報通知システムの構成］
図１５は、本発明の第３の実施の形態における情報通知システムの一構成例を示す図である。上述の第１および第２の実施の形態では情報集約装置２００が通知内容を通信端末３００に送信していたが、この第３の実施の形態における情報通知システムでは、情報集約装置２００から通信端末３００に識別情報を送信し、通信端末３００がこの識別情報に基づいて通知内容を別途取得するように構成される。すなわち、第３の実施の形態における情報通知システムの基本的な構成は第２の実施の形態と同様であるが、通信端末３００の通信部３６０がネットワーク４００に接続する点において第２の実施の形態と異なる。
【００７９】
第３の実施の形態における通信部３６０は、ネットワーク４００に接続し、解析サーバ５００に識別情報を送信して、通知内容を取得する。上述のように、この通信部３６０による通信としては、例えば、移動体通信（例えば、３Ｇ）や、Ｗｉ−Ｆｉ（登録商標）規格などによる無線ＬＡＮなどを利用した無線通信が想定される。
【００８０】
この第３の実施の形態における情報集約装置２００は、ビーコン装置１０１乃至１０３から識別情報を含むビーコン信号を受信すると、その識別情報について解析サーバ５００に問い合わせて優先度情報を取得する。そして、その優先度情報に従って識別情報を通信端末３００に送信する。通信端末３００は、識別情報をすると、その識別情報について解析サーバ５００に問い合わせて通知内容を取得して、その通知内容の画面を表示する。
【００８１】
解析サーバ５００の通知情報データベース５３０は、識別情報に対応付けて、通知内容と、優先度情報とを記憶するものであり、構成自体は第２の実施の形態と同様である。解析サーバ５００は、情報集約装置２００からの問合せに対しては優先度情報を返送し、通信端末３００からの問合せに対しては通知内容を返送する。なお、この例では、優先度情報と通知内容を同一の通知情報データベース５３０に記憶することを想定しているが、両者を別々のデータベースまたは別々のサーバにより管理してもよい。具体的には、識別情報に対する優先度情報のみを格納するデータベースを有する第１解析サーバと、識別情報に対する通知内容のみを格納するデータベースを有する第２解析サーバとのそれぞれに分かれていてもよい。
【００８２】
［情報通知システムの動作］
図１６は、本発明の第３の実施の形態における情報通知システムの動作例を示すシーケンス図である。
【００８３】
ビーコン装置１０１は、近距離無線通信によって間欠的にビーコン信号を送信する（ステップＳ８５１）。このビーコン装置１０１から送信されるビーコン信号には識別情報Ａ００１が含まれる。また、ビーコン装置１０２は、近距離無線通信によって間欠的にビーコン信号を送信する（ステップＳ８５５）。このビーコン装置１０２から送信されるビーコン信号には識別情報Ｂ００１が含まれる。この第２の実施の形態においても、上述の第１および第２の実施の形態と同様に、情報集約装置２００におけるビーコン信号の受信順序は何れが先でも構わない。
【００８４】
情報集約装置２００は、ビーコン装置１０１から送信されたビーコン信号を受信すると、そのビーコン信号に含まれる識別情報Ａ００１を抽出して識別情報データベース２４０に記憶するとともに、ネットワーク４００を介して解析サーバ５００に送信する（ステップＳ８５２）。
【００８５】
解析サーバ５００は、識別情報データベース２４０を参照して、情報集約装置２００から受信した識別情報Ａ００１に対応する優先度情報を取得して、情報集約装置２００に送信する（ステップＳ８５３）。
【００８６】
情報集約装置２００は、解析サーバ５００から送信された優先度情報を受信して記憶部２２０に記憶するとともに、識別情報データベース２４０において識別情報Ａ００１に対応する通知フラグを「ＯＮ」に設定する（ステップＳ８５４）。
【００８７】
また、情報集約装置２００は、ビーコン装置１０２から送信されたビーコン信号を受信すると、そのビーコン信号に含まれる識別情報Ｂ００１を抽出して識別情報データベース２４０に記憶するとともに、ネットワーク４００を介して解析サーバ５００に送信する（ステップＳ８５６）。
【００８８】
解析サーバ５００は、識別情報データベース２４０を参照して、情報集約装置２００から受信した識別情報Ｂ００１に対応する優先度情報を取得して、情報集約装置２００に送信する（ステップＳ８５７）。
【００８９】
情報集約装置２００は、解析サーバ５００から送信された優先度情報を受信して記憶部２２０に記憶するとともに、識別情報データベース２４０において識別情報Ｂ００１に対応する通知フラグを「ＯＮ」に設定する（ステップＳ８５８）。
【００９０】
その後、ユーザが帰宅したなどの送信トリガが発生すると、情報集約装置２００は、識別情報データベース２４０を参照して、通知フラグが「ＯＮ」に設定されている識別情報を、その優先度の高い順に順次、近距離無線通信により送信する（ステップＳ８５９）。
【００９１】
通信端末３００は、情報集約装置２００から識別情報を受信すると（ステップＳ８６１）、ネットワーク４００を介して解析サーバ５００に送信する（ステップＳ８６２）。解析サーバ５００は、識別情報データベース２４０を参照して、通信端末３００から受信した識別情報に対応する通知内容を取得して、通信端末３００に送信する（ステップＳ８６３）。通信端末３００は、解析サーバ５００から通知内容を受信すると、その受信した通知内容を出力部３４０に表示する（ステップＳ８６４）。
【００９２】
図１７は、本発明の第３の実施の形態における情報集約装置２００の処理手順例を示す流れ図である。この例は、情報集約装置２００と通信端末３００とが双方向通信可能であり、通信端末３００が受信確認を送ることを前提としたものである。
【００９３】
この場合の第３の実施の形態の処理手順例は、基本的には第１の実施の形態のものと同様であるが、ステップＳ９３４において通信端末３００に識別情報を送信する点において異なっている。通信端末３００は、情報集約装置２００から識別情報を受信した後に、その識別情報に基づいて解析サーバ５００に問い合わせて、通知内容を取得する。
【００９４】
図１８は、本発明の第３の実施の形態における情報集約装置２００の他の処理手順例を示す流れ図である。この例は、通信端末３００が情報集約装置２００に受信確認を行わないことを前提としたものである。
【００９５】
この場合の第３の実施の形態の処理手順例は、基本的には第１の実施の形態のものと同様であるが、ステップＳ９４４において通信端末３００に識別情報を送信する点において異なっている。この例においても、通信端末３００は、情報集約装置２００から識別情報を受信した後に、その識別情報に基づいて解析サーバ５００に問い合わせて、通知内容を取得する。
【００９６】
このように、本発明の第３の実施の形態では、識別情報に対応する通知内容を解析サーバ５００の通知情報データベース５３０に記憶しておいて、通信端末３００が識別情報を受信した際に問合せを行うことにより、通知内容を取得する。すなわち、この第３の実施の形態によれば、情報集約装置２００から通信端末３００に識別情報のみを送信すればよく、情報集約装置２００から送信されるデータの容量を最小限にすることができる。これにより、情報集約装置２００から通信端末３００への信号として単純なビーコン信号などを用いることができるようになる。
【００９７】
また、本発明の第３の実施の形態の変形例として、情報集約装置２００が受信した識別情報の通知フラグを管理するための識別情報データベース２４０をネットワーク４００上の解析サーバ５００上に記憶するようにしてもよい。このように構成した場合、情報集約装置２００は、ビーコン装置１０１乃至１０３のいずれかからビーコン信号を受信するたびに、そのビーコン信号から取得した識別情報を解析サーバ５００に送信し、解析サーバ５００は、識別情報データベース２４０において通知フラグを「ＯＮ」に設定する。その後、送信トリガが発生すると、情報集約装置２００は、解析サーバ５００に問合せを行うか、または、解析サーバ５００から送信されたデータを受信することにより、送信すべき識別情報と優先度情報とを取得し、識別情報の送信を行う。このように、本発明の第３の実施の形態の変形例によれば、情報集約装置２００の代わりに解析サーバ５００が通知フラグの管理を行うようにすることで、情報集約装置２００の構成をより簡単なものとすることを可能としたうえで、本発明の第３の実施の形態と同様の効果が得られる。
【００９８】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００９９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【０１００】
１０  宅内
２２  照明装置
２３  洗濯機
１０１〜１０３  ビーコン装置
１１１〜１１３  記憶部
２００  情報集約装置
２１０  処理部
２２０  記憶部
２３０  通知情報データベース
２４０  識別情報データベース
２５０  近距離無線通信部
２６０  ネットワーク通信部
２９０  バス
３００  通信端末
３１０  処理部
３２０  記憶部
３２１  待受けリスト
３３０  入力部
３４０  出力部
３５０  近距離無線通信部
３６０  通信部
４００  ネットワーク
５００  解析サーバ
５３０  通知情報データベース
【図１】
2017098684.tif 000003
【図２】
2017098684.tif 000004
【図３】
2017098684.tif 000005
【図４】
2017098684.tif 000006
【図５】
2017098684.tif 000007
【図６】
2017098684.tif 000008
【図７】
2017098684.tif 000009
【図８】
2017098684.tif 000010
【図９】
2017098684.tif 000011
【図１０】
2017098684.tif 000012
【図１１】
2017098684.tif 000013
【図１２】
2017098684.tif 000014
【図１３】
2017098684.tif 000015
【図１４】
2017098684.tif 000016
【図１５】
2017098684.tif 000017
【図１６】
2017098684.tif 000018
【図１７】
2017098684.tif 000019
【図１８】
2017098684.tif 000020